(57)【特許請求の範囲】
【請求項１】
複数の太陽電池パネルで構成される太陽電池モジュールであって、
第１の太陽電池パネルと、
第２の太陽電池パネルと、
前記第１の太陽電池パネルと前記第２の太陽電池パネルとを連結する非導電性の基板と、
前記第１の太陽電池パネルと前記第２の太陽電池パネルとを電気的に接続する配線部材と、
を備え、
前記第１の太陽電池パネル及び前記第２の太陽電池パネルの対向する互いの辺が、凹凸形状を含む、互いに嵌合する形状であり、
前記対向する互いの辺の間に間隙を有し、
前記配線部材は、前記基板の外側に配置されることを特徴とする太陽電池モジュール。
【請求項２】
前記凹凸形状は、前記基板の第１端と第２端とを結ぶ線分に沿って前記第１の太陽電池パネルと前記第２の太陽電池パネルとが折れ曲がることを抑制し、
前記間隙は前記線分と交わる第１の方向と、前記線分に沿った第２の方向と、に沿って延びることを特徴とする請求項１に記載の太陽電池モジュール。
【請求項３】
前記太陽電池パネル側から平面視した状態において、
前記太陽電池パネルが有する面積と前記基板が有する面積とでは、前記太陽電池パネルが有する面積のほうが大きいことを特徴とする請求項１または２に記載の太陽電池モジュール。
【請求項４】
前記第１の太陽電池パネル、前記第２の太陽電池パネル及び前記基板の少なくとも一方に貫通孔を有し、
前記複数の個片の各々において、前記貫通孔から所定の距離以内となる領域の表面の高さが揃えられていることを特徴とする請求項１乃至３のいずれか１項に記載の太陽電池モジュール。
【請求項５】
前記貫通孔は前記基板に設置されていることを特徴とする請求項４に記載の太陽電池モジュール。
【請求項６】
前記第１の太陽電池パネル及び前記第２の太陽電池パネルの各々は、導電性を有する支持基板と、半導体層と、前記半導体層上に形成された透明導電膜層と、を有することを特徴とする請求項１乃至５のいずれか１項に記載の太陽電池モジュール。
【請求項７】
前記第１の太陽電池パネル及び前記第２の太陽電池パネルは電気的に直列に接続されていることを特徴とする請求項１乃至６のいずれか１項に記載の太陽電池モジュール。
【請求項８】
前記第１の太陽電池パネル及び前記第２の太陽電池パネルの各々の発電可能面積は互いに同一であることを特徴とする請求項７に記載の太陽電池モジュール。
【請求項９】
文字盤と、
請求項１乃至８のいずれか１項に記載の太陽電池モジュールと、
を備えることを特徴とする時計。
【請求項１０】
前記太陽電池パネル側から平面視した状態において、
前記太陽電池モジュールの面積は前記文字盤と等しいかまたは小さいことを特徴とする請求項９に記載の時計。
【請求項１１】
請求項４に記載の太陽電池モジュールを備え、
前記貫通孔は、時計の針を設置するためのものであることを特徴とする時計。
【請求項１２】
請求項１乃至８のいずれか１項に記載の太陽電池モジュールを備えることを特徴とする電子機器。
【発明の詳細な説明】
【技術分野】
【０００１】
本発明は、太陽電池モジュール、時計、及び電子機器に関するものである。
【背景技術】
【０００２】
電池の定期的な交換が不要であることから、太陽電池を備えたソーラー時計が広く用いられている。太陽電池を備えたソーラー時計が特許文献１に開示されている。それによると、十分な電圧を確保するためにソーラー時計は支持基板と、支持基板の表面に形成された複数の太陽電池素子とからなる太陽電池を備えている。そして、複数の太陽電池素子を直列に接続して、ソーラー時計に用いられる太陽電池の発電電圧を高くしている。支持基板はガラス板でありガラス板上に下電極層、発電層、上電極層が形成されていた。
【先行技術文献】
【特許文献】
【０００３】
【特許文献１】特開２００１−２８４６１８号公報
【発明の概要】
【発明が解決しようとする課題】
【０００４】
特許文献１における支持基板はガラス板であり、ガラス板は薄く加工し難い素材である。腕時計等の電子機器は薄くて軽い方が扱い易い。そして、支持基板を薄くする方が腕時計等の電子機器を薄く軽くすることができる。そこで、太陽電池を薄くしたいときには支持基板を金属板にして支持基板を下電極として用いる構造が考えられる。
【０００５】
この構造において、上記のような複数の太陽電池素子を直列接合する方法として、１つの太陽電池パネルを切断して複数の太陽電池素子に分割する方法が挙げられる。導電性を有する支持基板と、発電膜を介して積層される透明導電膜とをそれぞれ電極として用いるような形態の太陽電池パネルになる。このとき、太陽電池パネルは、支持基板にて切断され、複数の個片（太陽電池パネル）に分割される。しかし、このように太陽電池パネルを複数の個片に分割するとき各個片を腕時計等の電子機器へ組み立てることになり生産性が低下する。
【０００６】
そこで、各個片を薄い基板に貼り付けて、各個片が貼り付けられた基板を腕時計等の電子機器に組み立てる方法が考えられる。しかしながら、基板が薄いとき基板の剛性が低くなり、各個片が貼り付けられた基板が曲がるので、組立し難くなるという問題があった。そこで、基板自体が曲がり易いときにも各個片が貼り付けられた基板が組み立てし易い太陽電池モジュールが望まれていた。
【課題を解決するための手段】
【０００７】
本発明は、上述の課題を解決するためになされたものであり、以下の形態または適用例として実現することが可能である。
【０００８】
［適用例１］
本適用例にかかる太陽電池モジュールであって、複数の個片から構成される太陽電池パネルと、前記複数の個片同士を連結する基板と、を備え、前記複数の個片は、第１の個片と、前記第１の個片と隣合う第２の個片とを含み、前記第１の個片と前記第２の個片とが対向するそれぞれの辺の形状は互いに嵌合する形状を有し、前記嵌合する形状の長さは、前記嵌合する形状の両端を結ぶ直線距離よりも長いことを特徴とする。
【０００９】
本適用例によれば、太陽電池パネルは複数の個片から構成され、基板によって個片同士が連結されている。そして、第１の個片と第２の個片とが隣合っている。第１の個片と第２の個片とが対向するそれぞれの辺の形状は互いに嵌合する形状を有している。そして、嵌合する形状の長さは、嵌合する形状の両端を結ぶ直線距離よりも長くなっている。従って、嵌合する形状は直線とならず凹凸を有する形状となっている。そのため、各個片を連結する基板が直線を折り目にして折れ曲がることが抑制され、太陽電池パネルは折れ曲り難くなっている。従って、基板が折れ曲がって、個片同士の姿勢が変化することが抑制される。太陽電池モジュールは複数の個片からなる太陽電池パネルを有し、平坦な状態を維持する。その結果、基板自体が曲がり易いときにも各個片が貼り付けられた後では基板が組み立てし易い太陽電池モジュールにすることができる。
【００１０】
［適用例２］
上記適用例にかかる太陽電池モジュールにおいて、前記太陽電池パネルを平面視した状態において、前記嵌合する形状の少なくとも一部は、前記嵌合する形状の両端を結ぶ直線と重ならないことを特徴とする。
【００１１】
本適用例によれば、嵌合する形状の少なくとも一部は、嵌合する形状の両端を結ぶ直線と重ならない。そして、重ならない部分があるので太陽電池モジュールは嵌合する形状の両端を結ぶ直線を折り目にして折れ曲がることを抑制することができる。その結果、基板自体が曲がり易いときにも各個片が貼り付けられた基板が組み立てし易い太陽電池モジュールにすることができる。
【００１２】
［適用例３］
上記適用例にかかる太陽電池モジュールにおいて、前記太陽電池パネル側から平面視した状態において、前記太陽電池パネルが有する面積と前記基板が有する面積とでは、前記太陽電池パネルが有する面積のほうが広いことを特徴とする。
【００１３】
本適用例によれば、太陽電池モジュールを太陽電池パネル側から平面視するとき、基板が有する面積より太陽電池パネルが有する面積が広くなっている。太陽電池モジュールに光があたるとき、太陽電池パネルに当たる光は発電に寄与し基板に当たる光は発電に寄与しない。そして、発電に寄与する太陽電池パネルの面積は発電に寄与しない基板の面積より広い為、太陽電池モジュールは効率よく発電することができる。
【００１４】
［適用例４］
上記適用例にかかる太陽電池モジュールにおいて、前記太陽電池パネル及び前記基板の少なくとも一方に貫通孔を有し、前記複数の個片の各々において、前記貫通孔から所定の距離以内となる領域の表面の高さが揃えられていることを特徴とする。
【００１５】
本適用例によれば、太陽電池パネル及び基板の少なくとも一方に貫通孔が設けられている。そして、貫通孔から所定の距離以内となる領域の表面の高さが揃えられている。従って、貫通孔に設置された構造物は貫通孔から所定の距離以内となる領域上の空間を利用することができる。
【００１６】
［適用例５］
上記適用例にかかる太陽電池モジュールにおいて、前記貫通孔は前記基板に設置されていることを特徴とする。
【００１７】
本適用例によれば、貫通孔は基板に設置されている。太陽電池パネルは基板に比べて多くの作業工程を経て製造される。このとき、貫通孔が無い方が有るときに比べて容易に製造することができる。従って、基板に貫通孔を設置することにより容易に製造することができる。
【００１８】
［適用例６］
上記適用例にかかる太陽電池モジュールにおいて、前記複数の個片の各々は、導電性を有する支持基板と、光を受けることで発電する発電層と、前記発電層上に形成された透明導電膜層と、を有することを特徴とする。
【００１９】
本適用例によれば、太陽電池モジュールは光を受けることで発電する発電層を備えている。さらに、導電性を有する支持基板及び発電層上に形成された透明導電膜層を備えている。従って、発電層が発電した電力を支持基板及び透明導電膜層から出力することができる。
【００２０】
［適用例７］
上記適用例にかかる太陽電池モジュールにおいて、前記複数の個片の各々は直列に接続されていることを特徴とする。
【００２１】
本適用例によれば、複数の個片の各々は直列に接続されている。従って、太陽電池モジュールでは各個片が発電する電圧を加算した電圧を出力することができる。
【００２２】
［適用例８］
上記適用例にかかる太陽電池モジュールにおいて、前記複数の個片の各々の発電可能面積は互いに同一であることを特徴とする。
【００２３】
本適用例によれば、複数の個片の各々は直列に接続され、複数の個片の各々の発電可能面積は互いに同一となっている。このとき、太陽電池パネルの複数の個片は同じ量の電流を出力することができる。太陽電池パネルの各個片の発電可能面積が異なるときには最も狭い発電可能面積の個片が出力する電流出力が太陽電池モジュールの出力となる。このときに比べて、本適用例の太陽電池モジュールは効率良く電流を出力することができる。
【００２４】
［適用例９］
本適用例にかかる時計であって、文字盤と、上記のいずれか１項に記載の太陽電池モジュールと、を備えることを特徴とする。
【００２５】
本適用例によれば、時計は文字盤と太陽電池モジュールとを備えている。そして、太陽電池モジュールは平坦な状態を維持し組立し易いモジュールになっている。従って、本適用例の時計は組立し易い太陽電池モジュールを備えた時計とすることができる。
【００２６】
［適用例１０］
上記適用例にかかる時計において、前記太陽電池パネル側から平面視した状態において、前記太陽電池モジュールの面積は前記文字盤と等しいかまたは小さいことを特徴とする。
【００２７】
本適用例によれば、太陽電池モジュールの面積は文字盤と等しいかまたは小さい。従って、本適用例の時計では太陽電池モジュールが小さいので原料となる板から多数製造することができる。従って、生産性良く製造された太陽電池モジュールを備えた時計とすることができる。
【００２８】
［適用例１１］
本適用例にかかる時計であって、上記に記載の太陽電池モジュールを備え、前記貫通孔は、時計の針を設置するためのものであることを特徴とする。
【００２９】
本適用例によれば、時計は貫通孔を備えている。そして、貫通孔は時計の針を設置するために用いられる。従って、太陽電池モジュールを設置した時計においても針を設置することができる。
【００３０】
［適用例１２］
本適用例にかかる電子機器であって、上記に記載の太陽電池モジュールを備えることを特徴とする。
【００３１】
本適用例によれば、電子機器は太陽電池モジュールを備えている。そして、太陽電池モジュールは平坦な状態を維持し組立し易いモジュールになっている。従って、本適用例の電子機器は組立し易い太陽電池モジュールを備えた電子機器とすることができる。
【図面の簡単な説明】
【００３２】
【図１】第１の実施形態にかかわる時計の構造を示す模式平面図。
【図２】時計の構造を示す模式側断面図。
【図３】太陽電池モジュールの構造を示す模式平面図。
【図４】太陽電池モジュールの構造を示す模式底面図。
【図５】太陽電池モジュールの構造を示す模式断面図。
【図６】太陽電池の製造方法のフローチャート。
【図７】太陽電池の製造方法を説明するための模式図。
【図８】太陽電池の製造方法を説明するための模式図。
【図９】太陽電池の製造方法を説明するための模式図。
【図１０】第２の実施形態にかかわる太陽電池の構造を示す模式平面図。
【図１１】第３の実施形態にかかわる太陽電池の構造を示す模式平面図。
【図１２】第４の実施形態にかかわる太陽電池の構造を示す模式平面図。
【図１３】第５の実施形態にかかわる太陽電池の構造を示す模式平面図。
【図１４】第６の実施形態にかかわる太陽電池の構造を示す模式平面図。
【図１５】第７の実施形態にかかわる太陽電池の構造を示す模式平面図。
【発明を実施するための形態】
【００３３】
本実施形態では、特徴的な太陽電池が設置された時計と太陽電池の製造方法について、図に従って説明する。尚、各図面における各部材は、各図面上で認識可能な程度の大きさとするため、各部材毎に縮尺を異ならせて図示している。
（第１の実施形態）
第１の実施形態にかかわる時計及び太陽電池について図１〜図９に従って説明する。まず、太陽電池モジュールが設置された時計について説明する。図１は、時計の構造を示す模式平面図であり、図２は、時計の構造を示す模式側断面図である。
【００３４】
図１に示すように電子機器としての時計１は時計ケース２を備え、時計ケース２には一対のバンド３が連結されている。時計ケース２は、ステンレス等の金属材またはプラスチック樹脂等の樹脂材で形成されている。図中バンド３が延在する方向をＹ方向とし、Ｙ方向と直交する方向をＸ方向とする。時計ケース２の厚み方向をＺ方向とする。時計ケース２の＋Ｚ方向側には文字盤４が設置され、図示しない樹脂製または金属製の圧入リングを介してガラス製または樹脂製の図示しない透明カバーが圧入固定されている。
【００３５】
透明カバーと対向して文字盤４が設置されている。文字盤４は、時刻を示す文字が表示された平板である。例えば、本実施形態の文字盤４には１２時、３時、６時、９時の時刻が表示されている。文字盤４は、透光性を有している。文字盤４と透明カバーとの間には秒針１０、分針１１及び時針１２が設置されている。秒針１０、分針１１及び時針１２は文字盤４の中心を回転中心にして回転する。
【００３６】
また、時計ケース２の＋Ｘ方向側の側面には操作子としての竜頭８が設置され、時計ケース２の−Ｘ方向側の側面には２つの操作ボタン９が設けられている。竜頭８は多段階に押し引き可能となっている。竜頭８を回動することにより、秒針１０、分針１１及び時針１２を回転して位置を調整することが可能になっている。
【００３７】
図２に示すように、時計１はムーブメント１３を備え、ムーブメント１３には輪列１４、駆動回路１５、電源部１６等が設置されている。ムーブメント１３は時計１において外装及び針等を除いた部分を示す。輪列１４は複数の歯車により構成され、各歯車が異なる回転数で回転する。輪列１４からは秒針軸１７、分針軸１８、時針軸２１が突出している。秒針軸１７には秒針１０が設置され、分針軸１８には分針１１が設置されている。時針軸２１には時針１２が設置されている。
【００３８】
ムーブメント１３の時針１２側にはムーブメント１３上に太陽電池モジュール２２及び文字盤４が重ねて設置されている。文字盤４には時、分、秒を示す目盛が設置されている。文字盤４は光透過性の材質から構成されており、時計１を照射した光は太陽電池モジュール２２を照射する。そして、太陽電池モジュール２２は受光して発電する。太陽電池モジュール２２は図示しない配線により駆動回路１５に接続されている。
【００３９】
太陽電池モジュール２２が発電した電力は駆動回路１５を通過して電源部１６に通電する。電源部１６は蓄電器を備え、電源部１６は太陽電池モジュール２２が発電した電力を蓄電する。駆動回路１５には図示しないモーターが設置され、駆動回路１５はモーターを駆動する。このとき、駆動回路１５は電源部１６に蓄電された電力を使用する。モーターにより輪列１４内の歯車が回転され、秒針軸１７、分針軸１８及び時針軸２１が回転する。その結果、秒針１０、分針１１及び時針１２が回転する。
【００４０】
太陽電池モジュール２２側から平面視したとき、太陽電池モジュール２２の面積は文字盤４と等しいかまたは小さい。図中では太陽電池モジュール２２が文字盤４より小さいが、太陽電池モジュール２２は文字盤４と同じ面積でも良い。
【００４１】
次に、太陽電池モジュールについて説明する。図３は、太陽電池モジュールの構造を示す模式平面図である。図４は、太陽電池モジュールの構造を示す模式底面図である。図５は、太陽電池モジュールの構造を示す模式断面図であり、図３におけるＡ−Ａ線に沿う断面側から見た図である。
【００４２】
図３〜図５に示すように、太陽電池モジュール２２は太陽電池パネル２３と、基板２４とを備える。太陽電池パネル２３は、太陽光を受けて発電する積層パネルである。Ｚ方向から見た平面視で太陽電池パネル２３は略正八角形状である。太陽電池パネル２３の曲げ弾性は、基板２４の曲げ弾性よりも大きい。基板２４は可撓性のある基板である。
【００４３】
太陽電池パネル２３は、支持基板２５、アルミニウム層２６、酸化亜鉛層２７、発電層２８、透明導電膜層２９、保護膜層３０が、この順で積層されて構成されている。太陽電池パネル２３には、保護膜層３０側から光が入射する。
【００４４】
支持基板２５は導電性のある基板であり金属板を用いることができる。本実施形態では、例えば、支持基板２５にステンレス板を用いている。支持基板２５は電極として機能し、本実施形態においては、負極として機能する。アルミニウム層２６は表面に凹凸が形成されている。保護膜層３０側から太陽電池パネル２３に入射した太陽光のうち、発電層２８を透過した光を散乱して反射する層である。酸化亜鉛層２７は、発電層２８とアルミニウム層２６との間で、光の屈折率を調整する層である。アルミニウム層２６と酸化亜鉛層２７とによって、太陽電池パネル２３の光利用効率を高めることができる。
【００４５】
発電層２８は受光して発電する層である。本実施形態では例えば発電層２８は、３層構造（トリプルジャンクション構造）であり多接合型の発電層になっている。発電層２８は、酸化亜鉛層２７側から順に、第１アモルファスシリコンゲルマニウム層２８ａ（ａ−ＳｉＧｅ層）、第２アモルファスシリコンゲルマニウム層２８ｂ及びアモルファスシリコン層２８ｃ（ａ−Ｓｉ層）を備える。
【００４６】
第１アモルファスシリコンゲルマニウム層２８ａと第２アモルファスシリコンゲルマニウム層２８ｂとは、ゲルマニウムがドープされたアモルファスシリコンになっている。第１アモルファスシリコンゲルマニウム層２８ａと第２アモルファスシリコンゲルマニウム層２８ｂとにドープされているゲルマニウムの量は、それぞれ異なっている。第１アモルファスシリコンゲルマニウム層２８ａ、第２アモルファスシリコンゲルマニウム層２８ｂ及びアモルファスシリコン層２８ｃはそれぞれ吸収波長域が異なるように設定されている。アルミニウム層２６と、酸化亜鉛層２７と、発電層２８とを合わせて、太陽電池本体３１と称する。
【００４７】
透明導電膜層２９は電極として機能し、本実施形態においては、正極として機能する透明な導電膜層である。透明導電膜層２９は光透過性及び導電性がある膜である。透明導電膜層２９の種類は特に限定されず、例えば、ＩＧＯ（Ｉｎｄｉｕｍ−ｇａｌｌｉｕｍ  ｏｘｉｄｅ）、ＩＴＯ（Ｉｎｄｉｕｍ  Ｔｉｎ  Ｏｘｉｄｅ）、ＩＣＯ（Ｉｎｄｉｕｍ−ｃｅｒｉｕｍ  ｏｘｉｄｅ）を用いることができる。本実施形態では、例えば、透明導電膜層２９にＩＴＯを採用している。
【００４８】
保護膜層３０は、透明導電膜層２９を保護する層である。保護膜層３０は、絶縁性を有すると共に、透光性を有する。保護膜層３０の種類は特に限定されず、例えば、アクリル樹脂等の樹脂膜を用いることができる。
【００４９】
太陽電池パネル２３は、導電性を有する支持基板２５と、光を受けることで発電する発電層２８と、発電層２８上に形成された透明導電膜層２９とを有している。従って、発電層２８が発電した電力を支持基板２５及び透明導電膜層２９から出力することができる。
【００５０】
太陽電池パネル２３は第１の個片としての第１個片２３ａ及び第２の個片としての第２個片２３ｂから構成されている。換言すれば、太陽電池パネル２３は複数の個片から構成されている。第１個片２３ａと第２個片２３ｂとの間には線状の間隙３２が設置され、第１個片２３ａ及び第２個片２３ｂは間隙３２を挟んで隣り合っている。
【００５１】
第１個片２３ａにおける間隙３２側の辺を第１辺３３とする。第２個片２３ｂにおける間隙３２側の辺を第２辺３４とする。第１辺３３と第２辺３４とは互いに対向し、第１辺３３と第２辺３４とは互いに嵌合する形状となっている。第１辺３３の＋Ｙ方向側の端を第１辺上端３３ａとし、第１辺３３の−Ｙ方向側の端を第１辺下端３３ｂとする。第１辺３３に沿う形状の長さは、第１辺上端３３ａと第１辺下端３３ｂとを結ぶ直線距離よりも長くなっている。同様に、第２辺３４の＋Ｙ方向側の端を第２辺上端３４ａとし、第２辺３４の−Ｙ方向側の端を第２辺下端３４ｂとする。第２辺３４に沿う形状の長さは、第２辺上端３４ａと第２辺下端３４ｂとを結ぶ直線距離よりも長くなっている。
【００５２】
太陽電池パネル２３をＺ方向から見た平面視において、第１辺３３の一部は第１辺上端３３ａと第１辺下端３３ｂとを結ぶ直線３３ｃと重ならない。また、第２辺３４の一部は第２辺上端３４ａと第２辺下端３４ｂとを結ぶ直線３４ｃと重ならない。重ならない部分があるので太陽電池モジュール２２は直線３３ｃまたは直線３４ｃを折り目にして折れ曲がることを抑制することができる。
【００５３】
第１辺３３及び第２辺３４の形状は直線とならず凹凸を有する形状となっている。そのため、第１個片２３ａと第２個片２３ｂとを連結する基板２４が直線を折り目にして折れ曲がることが抑制され、太陽電池パネル２３は折れ曲り難くなっている。従って、基板２４が折れ曲がって、個片同士の姿勢が変化することが抑制される。その結果、太陽電池モジュール２２は複数の個片からなる太陽電池パネル２３を有し、平坦な状態を維持する為、ムーブメント１３へ組み込みし易いモジュールにすることができる。
【００５４】
太陽電池パネル２３は重心となる場所に貫通孔３５が設置されている。貫通孔３５は時針軸２１を設置するための孔であり、第２個片２３ｂに設置されている。
【００５５】
間隙３２は、太陽電池パネル２３の外形の２点、すなわち、第１外形点２３ｃと第２外形点２３ｄとを結ぶようにして形成されている。間隙３２は円弧部３２ａ、第１直線部３２ｂ及び第２直線部３２ｃを含んでいる。Ｚ方向から見た平面視において、円弧部３２ａは貫通孔３５を中心とし太陽電池パネル２３の１／３程度の径を有する半円弧状である。円弧部３２ａは時計１の−Ｘ方向側に凸となるように形成されている。
【００５６】
第１直線部３２ｂと第２直線部３２ｃとはＹ方向に沿って延びる直線状になっている。第１直線部３２ｂは、第１外形点２３ｃと円弧部３２ａの＋Ｙ方向側の端点とを接続している。第２直線部３２ｃは、第２外形点２３ｄと円弧部３２ａの−Ｙ方向側の端点とを接続している。間隙３２は、第１外形点２３ｃと第２外形点２３ｄとを結んだ線分３６よりも長い。間隙３２は、貫通孔３５を通らないように形成されている。
【００５７】
間隙３２は、線分３６の少なくとも一部と重ならないように形成されている。すなわち、本実施形態においては、間隙３２は、円弧部３２ａを含んでいることにより、線分３６の中央部分と重ならないように形成されている。このため、太陽電池モジュール２２は線分３６を折り目にして曲がることが抑制されている。
【００５８】
領域３７は基板２４が間隙３２から露出する領域である。そして、領域３７における間隙３２に沿った方向の両端部上の点を上側端点３７ａ及び下側端点３７ｂとする。このとき、上側端点３７ａと下側端点３７ｂとを結んだ線分３８の少なくとも一部と間隙３２とが重ならないように間隙３２が形成されている。本実施形態においては、線分３６と線分３８とは、同一線上に位置するため、上記と同様に、間隙３２は、線分３８の中央部分と重ならない。
【００５９】
間隙３２の幅としては、例えば、０．１ｍｍ以上、０．３ｍｍ以下である。間隙３２の幅がこの値の範囲内であることにより、基板２４の折れ曲がりをより抑制しやくすることができる。
【００６０】
Ｚ方向側から見た平面視において、第１個片２３ａと第２個片２３ｂとを加算した面積は基板２４の露出する領域３７より広くなっている。太陽電池モジュール２２に光があたるとき、太陽電池パネル２３に当たる光は発電に寄与し基板２４に当たる光は発電に寄与しない。そして、発電に寄与する太陽電池パネル２３の面積は発電に寄与しない基板２４の面積より広い為、太陽電池モジュール２２は効率よく発電することができる。
【００６１】
貫通孔３５から等距離の領域４１において、太陽電池モジュール２２は表面の高さが揃えられている。従って、貫通孔３５に設置された時針軸２１を介して設置された時針１２は領域４１上の空間を利用することができる。
【００６２】
第１個片２３ａと第２個片２３ｂとは配線部材４２により直列に接続されている。従って、太陽電池モジュール２２では各個片が発電する電圧を加算した電圧を出力することができる。そして、第１個片２３ａの発電可能面積と第２個片２３ｂの発電可能面積とは同一の面積になっている。このとき、第１個片２３ａと第２個片２３ｂとは同じ量の電流を出力することができる。第１個片２３ａと第２個片２３ｂとの発電可能面積が異なるときには最も狭い発電可能面積が出力する電流出力が太陽電池モジュール２２の出力となる。このときに比べて、本実施形態の太陽電池モジュール２２は効率良く電流を出力することができる。
【００６３】
基板２４は第１個片２３ａと第２個片２３ｂとを連結するように支持基板２５上に貼り付けられている。基板２４は、Ｚ方向側から見た平面視において、切欠き部２４ａによって正八角形の一部が欠けた形状である。
【００６４】
切欠き部２４ａは、貫通孔３５の周囲が円弧状となっており、＋Ｘ方向に延びる帯状の切欠きである。切欠き部２４ａは貫通孔３５を囲んで形成されている。基板２４は貫通孔３５に重ならないように貼着されている。言い換えると、基板２４は、切欠き部２４ａ内に貫通孔３５が配置されるように貼着されている。支持基板２５側の電極接続部は、基板２４におおわれずに露出する部分に割り当てることができる。
【００６５】
基板２４の面積は太陽電池パネル２３の面積よりも小さい。また、基板２４の曲げ弾性は、太陽電池パネル２３の曲げ弾性よりも小さくなっている。
【００６６】
次に上述した太陽電池モジュール２２の製造方法について図６〜図９にて説明する。図６は、太陽電池の製造方法のフローチャートであり、図７〜図９は太陽電池の製造方法を説明するための模式図である。図６のフローチャートにおいて、ステップＳ１は発電膜設置工程である。この工程は支持基板２５上に発電層２８を設置する工程である。次にステップＳ２に移行する。ステップＳ２は、導電膜設置工程である。この工程は発電層２８上に透明導電膜層２９を設置する工程である。次にステップＳ３に移行する。ステップＳ３は、導電膜パターニング工程である。この工程は透明導電膜層２９を所定の形状にパターニングする工程である。次にステップＳ４に移行する。
【００６７】
ステップＳ４は、基板エッチング工程である。この工程はレジスト膜をマスクにして支持基板２５をエッチングする工程である。次にステップＳ５に移行する。ステップＳ５は、第１絶縁膜設置工程である。この工程は透明導電膜層２９上に保護膜層３０を設置する工程である。次にステップＳ６に移行する。ステップＳ６は、第２絶縁膜設置工程である。この工程は支持基板２５上に基板２４を設置する工程である。次にステップＳ７に移行する。ステップＳ７は、個片化工程である。この工程は支持基板２５を分離して個片化する工程である。次にステップＳ８に移行する。ステップＳ８は、配線部材設置工程である。この工程は太陽電池パネル２３に配線部材４２を設置する工程である。以上の工程により太陽電池モジュール２２を製造する工程を終了する。
【００６８】
次に、図７〜図９を用いて、図６に示したステップと対応させて、製造方法を詳細に説明する。
図７（ａ）はステップＳ１の発電膜設置工程に対応する図である。図７（ａ）に示すように、支持基板２５上に太陽電池本体３１を設置する。まず、支持基板２５上にアルミニウムを用いてアルミニウム層２６を成膜する。成膜条件を調整してアルミニウム層２６の表面に凹凸を形成する。次に、アルミニウム層２６上に酸化亜鉛層２７を成膜する。
【００６９】
次に、酸化亜鉛層２７上にゲルマニウムをドープした第１アモルファスシリコンゲルマニウム層２８ａを成膜する。さらに、第１アモルファスシリコンゲルマニウム層２８ａ上にゲルマニウムをドープした第２アモルファスシリコンゲルマニウム層２８ｂを成膜する。第２アモルファスシリコンゲルマニウム層２８ｂを形成するときには第１アモルファスシリコンゲルマニウム層２８ａよりゲルマニウムのドープ量を少なくする。
【００７０】
次に、第２アモルファスシリコンゲルマニウム層２８ｂ上にアモルファスシリコンの膜を成膜してアモルファスシリコン層２８ｃとする。以上で、発電層２８が成膜される。各層の膜には、化学気相成長法または蒸着法やスパッタ法などの物理気相成長法などを用いて製造することができる。
【００７１】
図７（ｂ）はステップＳ２の導電膜設置工程に対応する図である。図７（ｂ）に示すように、ステップＳ２において、太陽電池本体３１上に透明導電膜層２９を設置する。透明導電膜層２９はＩＴＯからなり、太陽電池本体３１に重ねてＩＴＯの膜を成膜する。ＩＴＯの膜は化学気相成長法または蒸着法やスパッタ法などの物理気相成長法などを用いて製造することができる。
【００７２】
図７（ｃ）〜図７（ｄ）はステップＳ３の導電膜パターニング工程に対応する図である。図７（ｃ）に示すように、透明導電膜層２９上に表レジスト膜４３を設置し、支持基板２５の裏面２５ａに裏レジスト膜４４を設置する。裏面２５ａは基板２４を設置する側の面である。表レジスト膜４３及び裏レジスト膜４４は同じレジスト材料からなり、感光性の樹脂材料を用いることができる。表レジスト膜４３及び裏レジスト膜４４の設置方法は特に限定されない。本実施形態では、例えば、表レジスト膜４３及び裏レジスト膜４４にドライフィルムレジストラミネートを使用し、支持基板２５に貼り付けている。次に、表レジスト膜４３及び裏レジスト膜４４を両面一括露光する。これにより、表レジスト膜４３及び裏レジスト膜４４のパターンの相対位置を位置精度良く形成することができる。次に、表レジスト膜４３及び裏レジスト膜４４を感光性樹脂用の現像液にて現像する。
【００７３】
図７（ｄ）に示すように、次に、透明導電膜層２９をエッチングする。透明導電膜層２９がＩＴＯまたはＩＧＯのとき、透明導電膜層２９はシュウ酸系エッチング液を用いてエッチングする。
【００７４】
図７（ｅ）はステップＳ４の基板エッチング工程に対応する図である。図７（ｅ）に示すように、支持基板２５の裏面２５ａ側にノズルからエッチング液を支持基板２５に噴射する。支持基板２５の材質がステンレスでありエッチング液には塩化第２鉄水溶液が用いられる。支持基板２５をＸ方向に移動または揺動しながらエッチング液を噴射する。これにより裏面２５ａに万遍なくエッチング液を吹き付けることができる。
【００７５】
エッチング液により支持基板２５のエッチングがさらに進行する。太陽電池本体３１は薄い膜であるので、エッチング液の水圧により太陽電池本体３１が破られて除去される。そして、透明導電膜層２９と裏面２５ａとを貫通する貫通孔４５が形成される。
【００７６】
図８（ａ）及び図８（ｂ）はステップＳ５の第１絶縁膜設置工程に対応する図である。図８（ａ）及び図８（ｂ）に示すように、ステップＳ５において、透明導電膜層２９上に保護膜層３０を設置する。保護膜層３０の材料は各種の印刷方法にて設置することが可能であり印刷方法は特に限定されない。本実施形態では、例えば、スクリーン印刷法を用いて保護膜層３０の材料を設置する。保護膜層３０の材料は加熱乾燥して固化される。加熱温度及び乾燥時間は特に限定されないが、本実施形態では、例えば、加熱温度が約１５０℃であり、乾燥時間は約３０分になっている。
【００７７】
図８（ｂ）に示すように、支持基板２５には貫通孔４５により太陽電池パネル２３の外形が形成されている。そして、支持基板２５の枠体２５ｂと太陽電池パネル２３とが連結部４６により連結されている。
【００７８】
図８（ｃ）及び図８（ｄ）はステップＳ６の第２絶縁膜設置工程に対応する図である。図８（ｃ）及び図８（ｄ）に示すように、ステップＳ６において、支持基板２５の裏面２５ａに基板２４を設置する。基板２４は第１個片２３ａと第２個片２３ｂとに渡って設置される。
【００７９】
基板２４は接着材が塗布されたポリエステルフィルムである。接着材が塗布された面を支持基板２５に向けて基板２４を支持基板２５上に置く。基板２４を押圧して基板２４と支持基板２５とを接着する。基板２４の接着材は自然乾燥でも良く加熱乾燥して接着しても良い。
【００８０】
図９（ａ）はステップＳ７の個片化工程に対応する図である。図９（ａ）に示すように、ステップＳ７において、連結部４６を切断して、太陽電池パネル２３を枠体２５ｂから分離する。連結部４６の切断方法は特に限定されないが、本実施形態では、例えば、振動切断機を用いている。連結部４６を振動により金属疲労させて容易に連結部４６を切断することができる。
【００８１】
図９（ｂ）はステップＳ８の配線部材設置工程に対応する図である。図９（ｂ）に示すように、ステップＳ８において、太陽電池パネル２３に配線部材４２を設置する。まず、配線部材４２の金属膜４２ａに異方性導電膜４２ｂを接着する。この接着には、例えば、導電性接着材を用いることができる。
【００８２】
次に、透明導電膜層２９上に導電性ペースト４２ｃを設置する。そして、導電性ペースト４２ｃに異方性導電膜４２ｂを重ねて支持基板２５と配線部材４２を押圧したまま、異方性導電膜４２ｂを加熱する。異方性導電膜４２ｂには熱硬化性の接着材が含まれており、配線部材４２を太陽電池パネル２３に接着させることができる。以上の工程により太陽電池モジュール２２が完成する。
【００８３】
上述したように、本実施形態によれば、以下の効果を有する。
（１）本実施形態によれば、太陽電池パネル２３は第１個片２３ａ及び第２個片２３ｂで構成され、基板２４によって個片同士が連結されている。そして、第１個片２３ａと第２個片２３ｂとが隣合っている。第１個片２３ａと第２個片２３ｂが対向するそれぞれの辺の形状は互いに嵌合する形状を有している。そして、嵌合する形状の長さは、嵌合する形状の両端を結ぶ直線距離よりも長くなっている。従って、嵌合する形状は直線とならず凹凸を有する形状となっている。そのため、各個片を連結する基板２４が直線を折り目にして折れ曲がることが抑制され、太陽電池パネル２３は折れ曲り難くなっている。従って、基板２４が折れ曲がって、個片同士の姿勢が変化することが抑制される。その結果、太陽電池モジュール２２は複数の個片からなる太陽電池パネル２３を有し、平坦な状態を維持する為、時計１へ実装し易いモジュールにすることができる。
【００８４】
（２）本実施形態によれば、第１辺３３の一部は直線３３ｃと重ならない。また、第２辺３４の一部は直線３４ｃと重ならない。つまり、嵌合する形状の少なくとも一部は、嵌合する形状の両端を結ぶ直線と重ならない。そして、重ならない部分があるので太陽電池モジュール２２は嵌合する形状の両端を結ぶ直線を折り目にして折れ曲がることが抑制することができる。
【００８５】
（３）本実施形態によれば、太陽電池モジュール２２を太陽電池パネル２３側から平面視するとき、基板２４が有する面積より太陽電池パネル２３が有する面積が広くなっている。太陽電池モジュール２２に光があたるとき、太陽電池パネル２３に当たる光は発電に寄与し基板２４に当たる光は発電に寄与しない。そして、発電に寄与する太陽電池パネル２３の面積は発電に寄与しない基板２４の面積より広い為、太陽電池モジュール２２は効率よく発電することができる。
【００８６】
（４）本実施形態によれば、太陽電池パネル２３に貫通孔３５が設置されている。そして、貫通孔３５から所定の距離以内となる領域４１の表面の高さが揃えられている。従って、貫通孔３５に設置された時針軸２１に設置された時針１２は貫通孔３５から所定の距離以内となる領域上の空間を利用することができる。
【００８７】
（５）本実施形態によれば、太陽電池モジュール２２は光を受けることで発電する発電層２８を備えている。さらに、導電性を有する支持基板２５及び発電層２８上に形成された透明導電膜層２９を備えている。従って、発電層２８が発電した電力を支持基板２５及び透明導電膜層２９から出力することができる。
【００８８】
（６）本実施形態によれば、第１個片２３ａと第２個片２３ｂとは直列に接続されている。従って、太陽電池モジュール２２では各個片が発電する電圧を加算した電圧を出力することができる。
【００８９】
（７）本実施形態によれば、第１個片２３ａと第２個片２３ｂとは直列に接続され、第１個片２３ａ及び第２個片２３ｂの発電可能面積は互いに同一となっている。このとき、第１個片２３ａ及び第２個片２３ｂは同じ量の電流を出力することができる。太陽電池パネル２３の各個片の発電可能面積が異なるときには最も狭い発電可能面積が出力する電流出力が太陽電池モジュール２２の出力となる。このときに比べて、本実施形態の太陽電池モジュール２２は効率良く電流を出力することができる。
【００９０】
（８）本実施形態によれば、時計１は文字盤４と太陽電池モジュール２２とを備えて入る。そして、太陽電池モジュール２２は平坦な状態を維持し組立し易いモジュールになっている。従って、本実施形態の時計１は組立し易い太陽電池モジュール２２を備えた時計１とすることができる。
【００９１】
（９）本実施形態によれば、貫通孔３５は、時針軸２１を設置するためのものである。従って、太陽電池モジュール２２を設置した時計１においても時針１２を設置することができる。
【００９２】
（１０）本実施形態によれば、基板２４には切欠き部２４ａが設置されている。基板２４の製造方法としては、例えば、可撓性を有する平板状の部材を、金型加工によって、基板２４の外形状に打抜く方法を選択できる。この際、基板２４に切欠き部２４ａのような切欠きではなく、貫通孔が形成されていると、金型加工によって打抜かれた部材が金型に付着して金型の寿命を短くする可能性がある。
【００９３】
これに対して、本実施形態によれば、基板２４は切欠き部２４ａが形成された形状であるため、打抜かれた部材が金型に付着し難くなる。従って、金型の寿命を長くすることができる。
【００９４】
（１１）本実施形態によれば発電層２８として、アモルファスシリコンゲルマニウムからなる層を含んでいるため、太陽電池パネル２３を２分割にして、直列接続した場合であっても、十分な電圧を得ることができる。
【００９５】
（第２の実施形態）
次に、太陽電池の一実施形態について図１０を用いて説明する。図１０は、太陽電池の構造を示す模式平面図である。本実施形態における時計は第１の実施形態と同様の構造の太陽電池を備えている。本実施形態が第１の実施形態と異なるところは図３に示した間隙３２の形状が異なる点にある。尚、第１の実施形態と同じ点については説明を省略する。
【００９６】
すなわち、本実施形態では、図１０に示すように、太陽電池モジュール５６は太陽電池パネル５７を備えている。太陽電池パネル５７は第１の個片としての第１個片５７ａ及び第２の個片としての第２個片５７ｂにより構成されている。第１個片５７ａは第１個片２３ａと同様の構造であり、第２個片５７ｂは第２個片２３ｂと同様の構造になっている。換言すれば、太陽電池パネル５７は複数の個片から構成されている。第１個片５７ａ及び第２個片５７ｂは基板２４により連結されている。第１個片５７ａと第２個片５７ｂとの間には線状の間隙５８が設置され、第１個片５７ａ及び第２個片５７ｂは間隙５８を挟んで隣り合っている。
【００９７】
太陽電池パネル５７は八角形の平面形状であり重心には貫通孔６１が設置されている。間隙５８は＋Ｘ方向側且つ＋Ｙ方向側に位置する第１外形点５７ｃから＋Ｘ方向側且つ−Ｙ方向側に位置する第２外形点５７ｄまで配置されている。間隙５８は第１外形点５７ｃから−Ｘ方向に延在する第１直線部５８ａを有する。さらに、間隙５８は第１直線部５８ａと接続し貫通孔６１と同心円上に配置された円弧部５８ｂを有する。さらに、間隙５８は円弧部５８ｂと接続し＋Ｘ方向に第２外形点５７ｄまで延在する第２直線部５８ｃを有する。
【００９８】
第１個片５７ａにおける間隙５８側の辺を辺としての第１辺６２とする。第２個片５７ｂにおける間隙５８側の辺を辺としての第２辺６３とする。第１辺６２と第２辺６３は互いに対向し、第１辺６２と第２辺６３とは互いに嵌合する形状となっている。第１辺６２の第１外形点５７ｃに近い端を第１辺上端６２ａとし、第１辺６２の第２外形点５７ｄに近い端を第１辺下端６２ｂとする。第１辺６２に沿う形状の長さは、第１辺上端６２ａと第１辺下端６２ｂとを結ぶ直線距離よりも長くなっている。同様に、第２辺６３の第１外形点５７ｃに近い端を第２辺上端６３ａとし、第２辺６３の第２外形点５７ｄに近い端を第２辺下端６３ｂとする。第２辺６３に沿う形状の長さは、第２辺上端６３ａと第２辺下端６３ｂとを結ぶ直線距離よりも長くなっている。
【００９９】
太陽電池パネル５７をＺ方向から見た平面視において、第１辺６２は第１辺上端６２ａと第１辺下端６２ｂとを結ぶ直線と重ならない。また、第２辺６３は第２辺上端６３ａと第２辺下端６３ｂとを結ぶ直線と重ならない。間隙５８は直線状でないので間隙５８を折り目にして折れ曲がることを抑制することができる。
【０１００】
第１辺６２及び第２辺６３の形状は直線とならず凹凸を有する形状となっている。そのため、第１個片５７ａと第２個片５７ｂとを連結する基板２４が直線を折り目にして折れ曲がることが抑制され、太陽電池パネル５７は折れ曲り難くなっている。従って、基板２４が折れ曲がって、個片同士の姿勢が変化することが抑制される。その結果、太陽電池モジュール５６は複数の個片からなる太陽電池パネル５７を有し、平坦な状態を維持する為、ムーブメント１３へ組み込みし易いモジュールにすることができる。
【０１０１】
露出する領域６４において、基板２４の上側端６５ａと下側端６５ｂとの間で上側端６５ａと下側端６５ｂを結ぶ線分６５の長さより第１辺６２及び第２辺６３は長くなっている。そして、第１辺６２及び第２辺６３は線分６５に重ならない。従って、太陽電池パネル５７が線分６５を折り目にして折れ曲がることを抑制することができる。
【０１０２】
Ｚ方向側から見た平面視において、第１個片５７ａと第２個片５７ｂとを加算した面積は基板２４の露出する領域６４より広くなっている。太陽電池モジュール５６に光があたるとき、太陽電池パネル５７に当たる光は発電に寄与し基板２４に当たる光は発電に寄与しない。そして、発電に寄与する太陽電池パネル５７の面積は発電に寄与しない基板２４の面積より広い為、太陽電池モジュール５６は効率よく発電することができる。
【０１０３】
貫通孔６１から等距離の領域４１において、太陽電池モジュール５６は表面の高さが揃えられている。従って、貫通孔６１に設置された時針軸２１を介して設置された時針１２は領域４１上の空間を利用することができる。
【０１０４】
第１個片５７ａと第２個片５７ｂとは配線部材４２により直列に接続されている。従って、太陽電池モジュール５６では各個片が発電する電圧を加算した電圧を出力することができる。そして、第１個片５７ａの発電可能面積と第２個片５７ｂの発電可能面積とは同一の面積になっている。このとき、第１個片５７ａと第２個片５７ｂとは同じ量の電流を出力することができる。第１個片５７ａと第２個片５７ｂとの発電可能面積が異なるときには狭い方の発電可能面積が出力する電流出力が太陽電池モジュール５６の出力となる。このときに比べて、本実施形態の太陽電池モジュール５６は効率良く電流を出力することができる。
【０１０５】
（第３の実施形態）
次に、太陽電池の一実施形態について図１１を用いて説明する。図１１は、太陽電池の構造を示す模式平面図である。本実施形態における時計は第１の実施形態と同様の構造の太陽電池を備えている。本実施形態が第１の実施形態と異なるところは図３に示した間隙３２の形状が異なる点にある。尚、第１の実施形態と同じ点については説明を省略する。
【０１０６】
すなわち、本実施形態では、図１１に示すように、太陽電池モジュール６７は太陽電池パネル６８を備えている。太陽電池パネル６８は第１の個片としての第１個片６８ａ及び第２の個片としての第２個片６８ｂにより構成されている。第１個片６８ａは第１個片２３ａと同様の構造であり、第２個片６８ｂは第２個片２３ｂと同様の構造になっている。換言すれば、太陽電池パネル６８は複数の個片から構成されている。第１個片６８ａ及び第２個片６８ｂは基板２４により連結されている。第１個片６８ａと第２個片６８ｂとの間には線状の間隙６９が設置され、第１個片６８ａ及び第２個片６８ｂは間隙６９を挟んで隣り合っている。
【０１０７】
太陽電池パネル６８は八角形の平面形状であり重心には貫通孔７０が設置されている。間隙６９は−Ｘ方向側に位置する第１外形点６８ｃから＋Ｘ方向側に位置する第２外形点６８ｄまで配置されている。間隙６９の形状は第１外形点６８ｃから第２外形点６８ｄまで円弧状になっている。
【０１０８】
第１個片６８ａにおける間隙６９側の辺を辺としての第１辺７１とする。第２個片６８ｂにおける間隙６９側の辺を辺としての第２辺７２とする。第１辺７１と第２辺７２とは互いに対向し、第１辺７１と第２辺７２とは互いに嵌合する形状となっている。第１辺７１の第１外形点６８ｃに近い端を第１辺左端７１ａとし、第１辺７１の第２外形点６８ｄに近い端を第１辺右端７１ｂとする。第１辺７１に沿う形状の長さは、第１辺左端７１ａと第１辺右端７１ｂとを結ぶ直線距離よりも長くなっている。同様に、第２辺７２の第１外形点６８ｃに近い端を第２辺左端７２ａとし、第２辺７２の第２外形点６８ｄに近い端を第２辺右端７２ｂとする。第２辺７２に沿う形状の長さは、第２辺左端７２ａと第２辺右端７２ｂとを結ぶ直線距離よりも長くなっている。
【０１０９】
太陽電池パネル６８をＺ方向から見た平面視において、第１辺７１は第１辺左端７１ａと第１辺右端７１ｂとを結ぶ直線と重ならない。また、第２辺７２は第２辺左端７２ａと第２辺右端７２ｂとを結ぶ直線と重ならない。間隙６９は直線状でないので間隙６９を折り目にして折れ曲がることを抑制することができる。
【０１１０】
第１辺７１及び第２辺７２の形状は直線とならず凹凸を有する形状となっている。そのため、第１個片６８ａと第２個片６８ｂとを連結する基板２４が直線を折り目にして折れ曲がることが抑制され、太陽電池パネル６８は折れ曲り難くなっている。従って、基板２４が折れ曲がって、個片同士の姿勢が変化することが抑制される。その結果、太陽電池モジュール６７は複数の個片からなる太陽電池パネル６８を有し、平坦な状態を維持する為、ムーブメント１３へ組み込みし易いモジュールにすることができる。
【０１１１】
Ｚ方向側から見た平面視において、第１個片６８ａと第２個片６８ｂとを加算した面積は基板２４の露出する領域７３より広くなっている。太陽電池モジュール６７に光があたるとき、太陽電池パネル６８に当たる光は発電に寄与し基板２４に当たる光は発電に寄与しない。そして、発電に寄与する太陽電池パネル６８の面積は発電に寄与しない基板２４の面積より広い為、太陽電池モジュール６７は効率よく発電することができる。
【０１１２】
露出する領域７３において、基板２４の左端７４と右端７５との間で左端７４と右端７５を結ぶ線分７６の長さより第１辺７１及び第２辺７２は長くなっている。そして、第１辺７１及び第２辺７２は線分７６に重ならない。従って、太陽電池パネル６８が線分７６を折り目にして折れ曲がることを抑制することができる。
【０１１３】
貫通孔７０から等距離の領域４１において、太陽電池モジュール６７は表面の高さが揃えられている。従って、貫通孔７０に設置された時針軸２１を介して設置された時針１２は領域４１上の空間を利用することができる。
【０１１４】
第１個片６８ａと第２個片６８ｂとは配線部材４２により直列に接続されている。従って、太陽電池モジュール６７では各個片が発電する電圧を加算した電圧を出力することができる。そして、第１個片６８ａの発電可能面積と第２個片６８ｂの発電可能面積とは同一の面積になっている。このとき、第１個片６８ａと第２個片６８ｂとは同じ量の電流を出力することができる。第１個片６８ａと第２個片６８ｂとの発電可能面積が異なるときには狭い方の発電可能面積が出力する電流出力が太陽電池モジュール６７の出力となる。このときに比べて、本実施形態の太陽電池モジュール６７は効率良く電流を出力することができる。
【０１１５】
（第４の実施形態）
次に、太陽電池の一実施形態について図１２を用いて説明する。図１２は、太陽電池の構造を示す模式平面図である。本実施形態における時計は第１の実施形態と同様の構造の太陽電池を備えている。本実施形態が第１の実施形態と異なるところは図３に示した間隙３２の形状が異なる点にある。尚、第１の実施形態と同じ点については説明を省略する。
【０１１６】
すなわち、本実施形態では、図１２に示すように、太陽電池モジュール７９は太陽電池パネル８０を備えている。太陽電池パネル８０は第１の個片としての第１個片８０ａ及び第２の個片としての第２個片８０ｂにより構成されている。第１個片８０ａは第１個片２３ａと同様の構造であり、第２個片８０ｂは第２個片２３ｂと同様の構造になっている。換言すれば、太陽電池パネル８０は複数の個片から構成されている。第１個片８０ａ及び第２個片８０ｂは基板２４により連結されている。第１個片８０ａと第２個片８０ｂとの間には線状の間隙８１が設置され、第１個片８０ａ及び第２個片８０ｂは間隙８１を挟んで隣り合っている。
【０１１７】
太陽電池パネル８０は八角形の平面形状であり重心には貫通孔８２が設置されている。間隙８１は−Ｘ方向側に位置する第１外形点８０ｃから＋Ｘ方向側に位置する第２外形点８０ｄまで配置されている。間隙８１の形状は第１外形点８０ｃから第２外形点８０ｄまで直線部８１ａ、円弧部８１ｂ、直線部８１ｃがこの順に配置された形状となっている。
【０１１８】
第１個片８０ａにおける間隙８１側の辺を辺としての第１辺８３とする。第２個片８０ｂにおける間隙８１側の辺を辺としての第２辺８４とする。第１辺８３と第２辺８４とは互いに対向し、第１辺８３と第２辺８４とは互いに嵌合する形状となっている。第１辺８３の第１外形点８０ｃに近い端を第１辺左端８３ａとし、第１辺８３の第２外形点８０ｄに近い端を第１辺右端８３ｂとする。第１辺８３に沿う形状の長さは、第１辺左端８３ａと第１辺右端８３ｂとを結ぶ直線距離よりも長くなっている。同様に、第２辺８４の第１外形点８０ｃに近い端を第２辺左端８４ａとし、第２辺８４の第２外形点８０ｄに近い端を第２辺右端８４ｂとする。第２辺８４に沿う形状の長さは、第２辺左端８４ａと第２辺右端８４ｂとを結ぶ直線距離よりも長くなっている。
【０１１９】
太陽電池パネル８０をＺ方向から見た平面視において、第１辺８３は第１辺左端８３ａと第１辺右端８３ｂとを結ぶ直線と重ならない。また、第２辺８４は第２辺左端８４ａと第２辺右端８４ｂとを結ぶ直線と重ならない。間隙８１は直線状でないので間隙８１を折り目にして折れ曲がることを抑制することができる。
【０１２０】
第１辺８３及び第２辺８４の形状は直線とならず凹凸を有する形状となっている。そのため、第１個片８０ａと第２個片８０ｂとを連結する基板２４が直線を折り目にして折れ曲がることが抑制され、太陽電池パネル８０は折れ曲り難くなっている。従って、基板２４が折れ曲がって、個片同士の姿勢が変化することが抑制される。その結果、太陽電池モジュール７９は複数の個片からなる太陽電池パネル８０を有し、平坦な状態を維持する為、ムーブメント１３へ組み込みし易いモジュールにすることができる。
【０１２１】
Ｚ方向側から見た平面視において、第１個片８０ａと第２個片８０ｂとを加算した面積は基板２４の露出する領域８５より広くなっている。太陽電池モジュール７９に光があたるとき、太陽電池パネル８０に当たる光は発電に寄与し基板２４に当たる光は発電に寄与しない。そして、発電に寄与する太陽電池パネル８０の面積は発電に寄与しない基板２４の面積より広い為、太陽電池モジュール７９は効率よく発電することができる。
【０１２２】
露出する領域８５において、基板２４の左端８６と右端８７との間で左端８６と右端８７を結ぶ線分８８の長さより第１辺８３及び第２辺８４は長くなっている。そして、第１辺８３及び第２辺８４は線分８８に重ならない。従って、太陽電池パネル８０が線分８８を折り目にして折れ曲がることを抑制することができる。
【０１２３】
貫通孔８２から等距離の領域４１において、太陽電池モジュール７９は表面の高さが揃えられている。従って、貫通孔８２に設置された時針軸２１を介して設置された時針１２は領域４１上の空間を利用することができる。
【０１２４】
第１個片８０ａと第２個片８０ｂとは配線部材４２により直列に接続されている。従って、太陽電池モジュール７９では各個片が発電する電圧を加算した電圧を出力することができる。そして、第１個片８０ａの発電可能面積と第２個片８０ｂの発電可能面積とは同一の面積になっている。このとき、第１個片８０ａと第２個片８０ｂとは同じ量の電流を出力することができる。第１個片８０ａと第２個片８０ｂとの発電可能面積が異なるときには狭い方の発電可能面積が出力する電流出力が太陽電池モジュール７９の出力となる。このときに比べて、本実施形態の太陽電池モジュール７９は効率良く電流を出力することができる。
【０１２５】
（第５の実施形態）
次に、太陽電池の一実施形態について図１３を用いて説明する。図１３は、太陽電池の構造を示す模式平面図である。本実施形態における時計は第１の実施形態と同様の構造の太陽電池を備えている。本実施形態が第１の実施形態と異なるところは個片が３個であり、図３に示した間隙３２の形状が異なる点にある。尚、第１の実施形態と同じ点については説明を省略する。
【０１２６】
すなわち、本実施形態では、図１３に示すように、太陽電池モジュール９０は太陽電池パネル９１を備えている。太陽電池パネル９１は第１の個片としての第１個片９１ａ、第２の個片としての第２個片９１ｂ及び第３個片９１ｃにより構成されている。第１個片９１ａは第１個片２３ａと同様の構造であり、第２個片９１ｂは第２個片２３ｂと同様の構造になっている。第３個片９１ｃも第２個片２３ｂと同様の構造になっている。換言すれば、太陽電池パネル９１は複数の個片から構成されている。第１個片９１ａ、第２個片９１ｂ及び第３個片９１ｃは基板２４により連結されている。第１個片９１ａと第２個片９１ｂとの間には線状の間隙９２が設置され、第１個片９１ａ及び第２個片９１ｂは間隙９２を挟んで隣り合っている。第２個片９１ｂと第３個片９１ｃとの間には線状の間隙９３が設置され、第２個片９１ｂ及び第３個片９１ｃは間隙９３を挟んで隣り合っている。
【０１２７】
太陽電池パネル９１は八角形の平面形状であり重心には貫通孔９４が設置されている。間隙９２は−Ｘ方向側に位置する第１外形点９１ｄから＋Ｘ方向側に位置する第２外形点９１ｅまで配置されている。間隙９２の形状は第１外形点９１ｄから第２外形点９１ｅまで円弧形状となっている。同様に、間隙９３は−Ｘ方向側に位置する第３外形点９１ｆから＋Ｘ方向側に位置する第４外形点９１ｇまで配置されている。間隙９３の形状は第３外形点９１ｆから第４外形点９１ｇまで円弧形状となっている。
【０１２８】
第１個片９１ａにおける間隙９２側の辺を辺としての第１辺９５とする。第２個片９１ｂにおける間隙９２側の辺を辺としての第２辺９６とする。第１辺９５と第２辺９６とは互いに対向し、第１辺９５と第２辺９６とは互いに嵌合する形状となっている。第１辺９５の第１外形点９１ｄに近い端を第１辺左端９５ａとし、第１辺９５の第２外形点９１ｅに近い端を第１辺右端９５ｂとする。第１辺９５に沿う形状の長さは、第１辺左端９５ａと第１辺右端９５ｂとを結ぶ直線距離よりも長くなっている。同様に、第２辺９６の第１外形点９１ｄに近い端を第２辺左端９６ａとし、第２辺９６の第２外形点９１ｅに近い端を第２辺右端９６ｂとする。第２辺９６に沿う形状の長さは、第２辺左端９６ａと第２辺右端９６ｂとを結ぶ直線距離よりも長くなっている。
【０１２９】
同様に、第２個片９１ｂにおける間隙９３側の辺を辺としての第３辺９７とする。第３個片９１ｃにおける間隙９３側の辺を辺としての第４辺９８とする。第３辺９７と第４辺９８とは互いに対向し、第３辺９７と第４辺９８とは互いに嵌合する形状となっている。第３辺９７の第３外形点９１ｆに近い端を第３辺左端９７ａとし、第３辺９７の第４外形点９１ｇに近い端を第３辺右端９７ｂとする。第３辺９７に沿う形状の長さは、第３辺左端９７ａと第３辺右端９７ｂとを結ぶ直線距離よりも長くなっている。同様に、第４辺９８の第３外形点９１ｆに近い端を第４辺左端９８ａとし、第４辺９８の第４外形点９１ｇに近い端を第４辺右端９８ｂとする。第４辺９８に沿う形状の長さは、第４辺左端９８ａと第４辺右端９８ｂとを結ぶ直線距離よりも長くなっている。
【０１３０】
太陽電池パネル９１をＺ方向から見た平面視において、第１辺９５は第１辺左端９５ａと第１辺右端９５ｂとを結ぶ直線と重ならない。また、第２辺９６は第２辺左端９６ａと第２辺右端９６ｂとを結ぶ直線と重ならない。間隙９２を直線状でなくすることにより間隙９２を折り目にして折れ曲がることを抑制することができる。同様に、第３辺９７は第３辺左端９７ａと第３辺右端９７ｂとを結ぶ直線と重ならない。また、第４辺９８は第４辺左端９８ａと第４辺右端９８ｂとを結ぶ直線と重ならない。間隙９３を直線状でなくすることにより間隙９３を折り目にして折れ曲がることを抑制することができる。
【０１３１】
第１辺９５及び第２辺９６の形状は直線とならず凹凸を有する形状となっている。そのため、第１個片９１ａと第２個片９１ｂとを連結する基板２４が直線を折り目にして折れ曲がることが抑制され、太陽電池パネル９１は折れ曲り難くなっている。同様に、第３辺９７及び第４辺９８の形状は直線とならず凹凸を有する形状となっている。そのため、第２個片９１ｂと第３個片９１ｃとを連結する基板２４が直線を折り目にして折れ曲がることが抑制され、太陽電池パネル９１は折れ曲り難くなっている。従って、基板２４が折れ曲がって、個片同士の姿勢が変化することが抑制される。その結果、太陽電池モジュール９０は複数の個片からなる太陽電池パネル９１を有し、平坦な状態を維持する為、ムーブメント１３へ組み込みし易いモジュールにすることができる。
【０１３２】
Ｚ方向側から見た平面視において、第１個片９１ａ、第２個片９１ｂ及び第３個片９１ｃを加算した面積は基板２４の露出する領域９９及び露出する領域１００を加算した領域より広くなっている。太陽電池モジュール９０に光があたるとき、太陽電池パネル９１に当たる光は発電に寄与し基板２４に当たる光は発電に寄与しない。そして、発電に寄与する太陽電池パネル９１の面積は発電に寄与しない基板２４の面積より広い為、太陽電池モジュール９０は効率よく発電することができる。
【０１３３】
露出する領域９９において、基板２４の左端１０１と右端１０２との間で左端１０１と右端１０２を結ぶ線分１０３の長さより第１辺９５及び第２辺９６は長くなっている。そして、第１辺９５及び第２辺９６は線分１０３に重ならない。従って、太陽電池パネル９１が線分１０３を折り目にして折れ曲がることを抑制することができる。同様に、露出する領域１００において、基板２４の左端１０４と右端１０５との間で左端１０４と右端１０５を結ぶ線分１０６の長さより第３辺９７及び第４辺９８は長くなっている。そして、第３辺９７及び第４辺９８は線分１０６に重ならない。従って、太陽電池パネル９１が線分１０６を折り目にして折れ曲がることを抑制することができる。
【０１３４】
貫通孔９４から等距離の領域４１において、太陽電池モジュール９０は表面の高さが揃えられている。従って、貫通孔９４に設置された時針軸２１を介して設置された時針１２は領域４１上の空間を利用することができる。
【０１３５】
第１個片９１ａ、第２個片９１ｂ及び第３個片９１ｃとは配線部材４２により直列に接続されている。従って、太陽電池モジュール９０では各個片が発電する電圧を加算した電圧を出力することができる。そして、第１個片９１ａの発電可能面積、第２個片９１ｂ及び第３個片９１ｃの発電可能面積とは同一の面積になっている。このとき、第１個片９１ａ、第２個片９１ｂ及び第３個片９１ｃは同じ量の電流を出力することができる。第１個片９１ａ、第２個片９１ｂ及び第３個片９１ｃの発電可能面積が異なるときには狭い方の発電可能面積が出力する電流出力が太陽電池モジュール９０の出力となる。このときに比べて、本実施形態の太陽電池モジュール９０は効率良く電流を出力することができる。
【０１３６】
また、太陽電池パネル９１では３つの個片が直列に接続されている。従って、太陽電池パネル９１が発電できる電圧値は個片数が１個及び２個の時に比べて大きくすることができる。
【０１３７】
（第６の実施形態）
次に、太陽電池の一実施形態について図１４を用いて説明する。図１４は、太陽電池の構造を示す模式平面図である。本実施形態における時計は第１の実施形態と同様の構造の太陽電池を備えている。本実施形態が第１の実施形態と異なるところは図３に示した間隙３２の形状が異なる点にある。尚、第１の実施形態と同じ点については説明を省略する。
【０１３８】
すなわち、本実施形態では、図１４に示すように、太陽電池モジュール１０８は太陽電池パネル１０９を備えている。太陽電池パネル１０９は第１の個片としての第１個片１０９ａ及び第２の個片としての第２個片１０９ｂにより構成されている。第１個片１０９ａは第１個片２３ａと同様の構造であり、第２個片１０９ｂは第２個片２３ｂと同様の構造になっている。換言すれば、太陽電池パネル１０９は複数の個片から構成されている。第１個片１０９ａ及び第２個片１０９ｂは基板２４により連結されている。第１個片１０９ａと第２個片１０９ｂとの間には線状の間隙１１０が設置され、第１個片１０９ａ及び第２個片１０９ｂは間隙１１０を挟んで隣り合っている。
【０１３９】
太陽電池パネル１０９は八角形の平面形状であり重心には貫通孔１１１が設置されている。間隙１１０は＋Ｙ方向側に位置する第１外形点１０９ｃから−Ｙ方向側に位置する第２外形点１０９ｄまで配置されている。間隙１１０の形状は第１外形点１０９ｃから第２外形点１０９ｄまで複数の円弧形状により構成されている。
【０１４０】
第１個片１０９ａにおける間隙１１０側の辺を辺としての第１辺１１２とする。第２個片１０９ｂにおける間隙１１０側の辺を辺としての第２辺１１３とする。第１辺１１２と第２辺１１３とは互いに対向し、第１辺１１２と第２辺１１３の一部とは互いに嵌合する形状となっている。第２辺１１３は第１辺１１２より長くなっているので、第２外形点１０９ｄの近くでは第２辺１１３の一部が第１辺１１２とは向き合っていない。第１辺１１２の第１外形点１０９ｃに近い端を第１辺上端１１２ａとし、第１辺１１２の第２外形点１０９ｄに近い端を第１辺下端１１２ｂとする。第１辺１１２に沿う形状の長さは、第１辺上端１１２ａと第１辺下端１１２ｂとを結ぶ直線距離よりも長くなっている。同様に、第２辺１１３の第１外形点１０９ｃに近い端を第２辺上端１１３ａとし、第２辺１１３の第２外形点１０９ｄに近い端を第２辺下端１１３ｂとする。第２辺１１３に沿う形状の長さは、第２辺上端１１３ａと第２辺下端１１３ｂとを結ぶ直線距離よりも長くなっている。
【０１４１】
太陽電池パネル１０９をＺ方向から見た平面視において、第１辺１１２は第１辺上端１１２ａと第１辺下端１１２ｂとを結ぶ直線と重ならない。また、第２辺１１３は第２辺上端１１３ａと第２辺下端１１３ｂとを結ぶ直線と重ならない。このように、第１辺１１２と第２辺１１３との長さが異なるときにも間隙１１０が直線状でないので間隙１１０を折り目にして折れ曲がることを抑制することができる。
【０１４２】
第１辺１１２及び第２辺１１３の形状は直線とならず凹凸を有する形状となっている。そのため、第１個片１０９ａと第２個片１０９ｂとを連結する基板２４が直線を折り目にして折れ曲がることが抑制され、太陽電池パネル１０９は折れ曲り難くなっている。従って、基板２４が折れ曲がって、個片同士の姿勢が変化することが抑制される。その結果、太陽電池モジュール１０８は複数の個片からなる太陽電池パネル１０９を有し、平坦な状態を維持する為、ムーブメント１３へ組み込みし易いモジュールにすることができる。
【０１４３】
（第７の実施形態）
次に、太陽電池の一実施形態について図１５を用いて説明する。図１５は、太陽電池の構造を示す模式平面図である。本実施形態における時計は第１の実施形態と同様の構造の太陽電池を備えている。本実施形態が第１の実施形態と異なるところは図３に示した間隙３２の形状が異なる点にある。尚、第１の実施形態と同じ点については説明を省略する。
【０１４４】
すなわち、本実施形態では、図１５に示すように、太陽電池モジュール１１７は太陽電池パネル１１８を備えている。太陽電池パネル１１８は第１の個片としての第１個片１１８ａ及び第２の個片としての第２個片１１８ｂにより構成されている。第１個片１１８ａは第１個片２３ａと同様の構造であり、第２個片１１８ｂは第２個片２３ｂと同様の構造になっている。換言すれば、太陽電池パネル１１８は複数の個片から構成されている。第１個片１１８ａ及び第２個片１１８ｂは基板１１９により連結されている。第１個片１１８ａと第２個片１１８ｂとの間には線状の間隙１２０が設置され、第１個片１１８ａ及び第２個片１１８ｂは間隙１２０を挟んで隣り合っている。
【０１４５】
太陽電池パネル１１８は八角形の平面形状であり重心には間隙１２０が設置され、基板１１９には太陽電池パネル１１８の重心と対向する場所に貫通孔１２１が設置されている。間隙１２０は＋Ｙ方向側に位置する第１外形点１１８ｃから−Ｙ方向側に位置する第２外形点１１８ｄまで配置されている。間隙１２０の形状は第１外形点１１８ｃから第２外形点１１８ｄまで複数の円弧形状により構成されている。
【０１４６】
第１個片１１８ａにおける間隙１２０側の辺を辺としての第１辺１２２とする。第２個片１１８ｂにおける間隙１２０側の辺を辺としての第２辺１２３とする。第１辺１２２と第２辺１２３とは互いに対向し、第１辺１２２と第２辺１２３とは互いに嵌合する形状となっている。第１辺１２２の第１外形点１１８ｃに近い端を第１辺上端１２２ａとし、第１辺１２２の第２外形点１１８ｄに近い端を第１辺下端１２２ｂとする。第１辺１２２に沿う形状の長さは、第１辺上端１２２ａと第１辺下端１２２ｂとを結ぶ直線距離よりも長くなっている。同様に、第２辺１２３の第１外形点１１８ｃに近い端を第２辺上端１２３ａとし、第２辺１２３の第２外形点１１８ｄに近い端を第２辺下端１２３ｂとする。第２辺１２３に沿う形状の長さは、第２辺上端１２３ａと第２辺下端１２３ｂとを結ぶ直線距離よりも長くなっている。
【０１４７】
太陽電池パネル１１８をＺ方向から見た平面視において、第１辺１２２は第１辺上端１２２ａと第１辺下端１２２ｂとを結ぶ直線と重ならない。また、第２辺１２３は第２辺上端１２３ａと第２辺下端１２３ｂとを結ぶ直線と重ならない。このように、間隙１２０が直線状でないので間隙１２０を折り目にして折れ曲がることを抑制することができる。
【０１４８】
第１辺１２２及び第２辺１２３の形状は直線とならず凹凸を有する形状となっている。そのため、第１個片１１８ａと第２個片１１８ｂとを連結する基板１１９が直線を折り目にして折れ曲がることが抑制され、太陽電池パネル１１８は折れ曲り難くなっている。従って、基板１１９が折れ曲がって、個片同士の姿勢が変化することが抑制される。その結果、太陽電池モジュール１１７は複数の個片からなる太陽電池パネル１１８を有し、平坦な状態を維持する為、ムーブメント１３へ組み込みし易いモジュールにすることができる。
【０１４９】
基板１１９には貫通孔１２１が設置されている。太陽電池パネル１１８には貫通孔がなく時針軸２１を設置する場所は間隙１２０に設置されている。太陽電池パネル１１８は基板１１９に比べて多くの作業工程を経て製造される。このとき、貫通孔が無い方が有るときに比べて容易に製造することができる。従って、基板１１９に貫通孔１２１を設置することにより太陽電池パネル１１８を容易に製造することができる。
【０１５０】
尚、本実施形態は上述した実施形態に限定されるものではなく、本発明の技術的思想内で当分野において通常の知識を有する者により種々の変更や改良を加えることも可能である。変形例を以下に述べる。
（変形例１）
前記第１の実施形態では、太陽電池パネル２３が２つの個片から構成されていた。また、前記第５の実施形態では太陽電池パネル９１が３つの個片から構成されていた。太陽電池パネルは４つ以上の個片から構成されていても良い。この場合にも、間隙の形状が両端を結ぶ直線より長い形状にすることにより、太陽電池パネルを折曲がり難くすることができる。
【０１５１】
（変形例２）
前記第１の実施形態では、間隙３２が曲線と直線からなる形状となっていた。間隙３２は直線だけから構成されても良い。この場合にも、間隙の形状が両端を結ぶ直線より長い形状にすることにより、太陽電池パネルを折曲がり難くすることができる。
【０１５２】
（変形例３）
前記第１の実施形態では、第１個片２３ａと第２個片２３ｂとの面積が同じであった。光の当たり具合が異なるときには第１個片２３ａと第２個片２３ｂとの面積を変えても良い。発電効率を加味した設定にしても良い。
【０１５３】
（変形例４）
前記第１の実施形態では、発電層２８は第１アモルファスシリコンゲルマニウム層２８ａ、第２アモルファスシリコンゲルマニウム層２８ｂ及びアモルファスシリコン層２８ｃが積層されていた。発電層２８の構成は必要な電圧が得られる範囲内において特に限定されない。例えば、発電層２８がアモルファスシリコンゲルマニウム層を１層だけ備えるような構成であってもよい。また、発電層２８の構成としては、上記説明した構成に限られず、太陽電池として用いられる構成のうちから任意な構成を選択してもよい。
【０１５４】
（変形例５）
前記第１の実施形態では、太陽電池パネル２３に貫通孔３５が設置され、基板２４には切欠き部２４ａが設置されていた。そして、切欠き部２４ａ及び貫通孔３５を通って時針軸２１が設置されていた。切欠き部２４ａに替えて基板２４に貫通孔が設置されても良い。同様に、前記第７の実施形態では、基板１１９に貫通孔１２１が設置されていた。貫通孔１２１は外形と繋がっていた。貫通孔１２１は外形と繋がらない孔でも良い。
【０１５５】
（変形例６）
前記第１の実施形態から第７の実施形態においては、太陽電池モジュールを実装する電子機器が腕時計である場合について説明したが、これに限られない。太陽電池モジュールを実装する電子機器としては、例えば、携帯端末等であってもよい。他にも、ガスメーター、水道メーター等光が照射される場所に設置される装置や、電気テスター、静電気計測器等可搬可能な装置に設置しても良い。このときにも、太陽電池パネルが曲がり難いので容易に組み立てることができる。
【符号の説明】
【０１５６】
１…電子機器としての時計、２２，５６，６７，７９，９０，１０８，１１７…太陽電池モジュール、２３ａ，５７ａ，６８ａ，８０ａ，９１ａ，１０９ａ，１１８ａ…第１の個片としての第１個片、２３ｂ，５７ｂ，６８ｂ，８０ｂ，９１ｂ，１０９ｂ，１１８ｂ…第２の個片としての第２個片、２３，５７，６８，８０，９１，１０９，１１８…太陽電池パネル、２４，１１９…基板、２５…支持基板、２８…発電層、２９…透明導電膜層、３３ｃ，３４ｃ…直線、３５，４５，６１，７０，８２，９４，１１１，１２１…貫通孔、６２，７１，８３，９５，１１２，１２２…辺としての第１辺、６３，７２，８４，９６，１１３，１２３…辺としての第２辺、９７…辺としての第３辺、９８…辺としての第４辺。
【図１】
0006354459.tif 000002
【図２】
0006354459.tif 000003
【図３】
0006354459.tif 000004
【図４】
0006354459.tif 000005
【図５】
0006354459.tif 000006
【図６】
0006354459.tif 000007
【図７】
0006354459.tif 000008
【図８】
0006354459.tif 000009
【図９】
0006354459.tif 000010
【図１０】
0006354459.tif 000011
【図１１】
0006354459.tif 000012
【図１２】
0006354459.tif 000013
【図１３】
0006354459.tif 000014
【図１４】
0006354459.tif 000015
【図１５】
0006354459.tif 000016